(57)【特許請求の範囲】
【請求項１】
ガイドレールの水平部に沿って摺動可能に取付けられた商品押出具をバネで商品引出側に押出付勢することにより、商品押出具の先方に位置する商品をガイドレールの先端側まで常に押出可能とすると共に、ガイドレールの後方に基端部を有する商品押出型陳列器具において、
前記商品押出具を一時的に係止するために該商品押出具又は基端部のいずれか又は双方に係止手段を備えたことを特徴とする商品押出型陳列器具。
【請求項２】
ガイドレールの水平部に沿って摺動可能に取付けられた商品押出具をバネで商品引出側に押出付勢することにより、商品押出具の先方に位置する商品をガイドレールの先端側まで常に押出可能とすると共に、ガイドレールの後方に基端部を有する商品押出型陳列器具において、
前記商品押出具を一時的に係止するために該商品押出具又は基端部のいずれか又は双方に係止手段を備えると共に、商品押出具に指押解除部を設け、かかる指押解除部を動かすことにより前記商品押出具の係止を解除できる解除手段を備えたことを特徴とする商品押出型陳列器具。
【請求項３】
ガイドレールの水平部に沿って摺動可能に取付けられた商品押出具をバネで商品引出側に押出付勢することにより、商品押出具の先方に位置する商品をガイドレールの先端側まで常に押出可能とすると共に、ガイドレールの後方に基端部を有する商品押出型陳列器具において、
前記商品押出具を一時的に係止するために、該商品押出具又は基端部のいずれか又は双方に係止手段を備えると共に、商品からの押圧を利用して前記商品押出具の係止を解除できる解除手段を備えたことを特徴とする商品押出型陳列器具。
【請求項４】
商品押出具に係止爪が設けられ、商品からの押圧により該商品押出具の一部又は全部が変向して係止爪の係止が解除されることを特徴とする請求項３に記載の商品押出型陳列器具。
【請求項５】
商品押出具に押出具逆進具を設け、かかる押出具逆進具を押圧することにより前記商品押出具の係止を解除できることを特徴とする請求項３に記載の商品押出型陳列器具。
【請求項６】
ガイドレールの水平部分に沿って摺動可能に取付けられた商品押出具をバネで商品引出側に押出付勢することにより、商品押出具の先方に位置する商品をガイドレールの先端側まで常に押出可能とすると共に、ガイドレールの後方に基端部を有する商品押出型陳列器具において、
前記商品押出具又は基端部に、進入部と離脱部とその間に形成された窪みとを有するカム溝を設け、係止片の突部又は鉤ロッドが、このカム溝の進入部に沿って移動して窪みで係止される作動と、窪みからカム溝の離脱部に沿って移動する作動とで、商品押出具と基端部との係止と解除とを順次行なうことが可能な係合機構を持つようにしたことを特徴とする商品押出型陳列器具。
【発明の詳細な説明】
【０００１】
【産業上の利用分野】
この発明は、例えばスーパーマーケット、コンビニエンスストア等の店舗において、複数の商品をガイドレールに吊り下げ又は載置して陳列するために用いる器具に関する。
【０００２】
【従来の技術】
本願出願人により開発が進められているガイドレールの後端部側に存する商品を先端側に押し出す機構が備えられた商品押出型陳列器具の一つとしては、例えば図１６に示されるものがある。
【０００３】
かかる商品押出型陳列器具を概説すると、例えば略Ｕ字状の水平部分２ａ及び２段に形成され上段側が商品落下防止機能を果たす連結部分２ｆ，２ｆを有するガイドレール２’’と、かかるガイドレール２’’の水平部分２ａに摺動自在に取付けられた商品押出具１０と、かかる商品押出具１０に基部が収納されると共に先端部がガイドレール２の下段の連結部分２ｆに固定された巻板バネ２０と、ガイドレール２の後端部側に位置する基端部３とで構成されている。
【０００４】
そして、巻板バネ２０の収縮力にて、商品押出具１０は商品引出し側に常に付勢される状態となっており、このため商品数が少なくなった場合でも、商品は奥側に位置せずガイドレール２の先端部側まで押し出されるので、容易に商品を取り出すことができる。
【０００５】
【発明が解決しようとする課題】
しかしながら、従来の商品押出型陳列器具は、上述の如く常に巻板バネの収縮力にて商品押出具を商品引出し側に付勢するため、商品を補充する際に商品押出具がガイドレールの商品引出側に摺動しようとするのを手などで抑えつつ商品をガイドレールに押し込んでいかなければならないので、商品の補充作業が必ずしも簡易でないという不具合があった。
【０００６】
そこで、この発明は、商品の補充作業中において、商品押出具を基端部等に一時的に係止できる商品押出型陳列器具を提供することを目的とする。
【０００７】
その一方で、係止手段を備えるだけでは、多数の商品を補充した後に商品押出具を基端部等から手で直接に外すため、商品押出具より手前側の補充された商品に妨害されて奥側に位置する商品押出具に手が届き難いので、商品押出具を容易に外せないことが予想される。
【０００８】
そこで、この発明は、上記問題点に鑑み、更に商品押出具を一時的に係止する場合に、多数の商品を補充した後でもかかる商品押出具の係止を容易に解除できる商品押出型陳列器具を提供することも目的とする。
【０００９】
【課題を解決するための手段】
しかして、商品押出型陳列器具は、ガイドレールの水平部に沿って摺動可能に取付けられた商品押出具をバネで商品引出側に押出付勢することにより、商品押出具の先方に位置する商品をガイドレールの先端側まで常に押出可能とすると共に、ガイドレールの後方に基端部を有する商品押出型陳列器具において、前記商品押出具を一時的に係止するために該商品押出具又は基端部のいずれか又は双方に係止手段を備えたものとなっている（請求項１）。
【００１０】
また、商品押出型陳列器具は、ガイドレールの水平部に沿って摺動可能に取付けられた商品押出具をバネで商品引出側に押出付勢することにより、商品押出具の先方に位置する商品をガイドレールの先端側まで常に押出可能とすると共に、ガイドレールの後方に基端部を有する商品押出型陳列器具において、前記商品押出具を一時的にするために該商品押出具又は基端部のいずれか又は双方に係止手段を備えると共に、商品押出具に指押解除部を設け、かかる指押解除部を動かすことにより前記商品押出具の係止を解除できる解除手段を備えたものとしても良い（請求項２）。
【００１１】
また、商品押出型陳列器具は、ガイドレールの水平部に沿って摺動可能に取付けられた商品押出具をバネで商品引出側に押出付勢することにより、商品押出具の先方に位置する商品をガイドレールの先端側まで常に押出可能とすると共に、ガイドレールの後方に基端部を有する商品押出型陳列器具において、前記商品押出具を一時的に係止するために、該商品押出具又は基端部のいずれか又は双方に係止手段を備えると共に、商品からの押圧を利用して前記商品押出具の係止を解除できる解除手段を備えたものとしても良い（請求項３）。
【００１２】
この場合に、商品押出具に係止爪を持ち、商品からの押圧により該商品押出具の一部又は全部が変向して係止爪の係止が解除されるようにしても良い（請求項４）。
【００１３】
また、商品押出具に押出具逆進具を設け、かかる押出具逆進具を押圧することにより前記商品押出具の係止を解除できるようにしても良い（請求項５）。
【００１４】
これに対し、商品押出型陳列器具は、上記とは別に、ガイドレールの水平部分に沿って摺動可能に取付けられた商品押出具をバネで商品引出側に押出付勢することにより、商品押出具の先方に位置する商品をガイドレールの先端側まで常に押出可能とすると共に、ガイドレールの後方に基端部を有する商品押出型陳列器具において、前記商品押出具又は基端部に、進入部と離脱部とその間に形成された窪みとを有するカム溝を設け、係止片の突部又は鉤ロッドが、このカム溝の進入部に沿って移動して窪みで係止される作動と、窪みからカム溝の離脱部に沿って移動する作動とで、商品押出具と基端部との係止と解除とを順次行なうことが可能な係合機構を持つようにしても良い（請求項６）。
【００１５】
【作用】
従って、この発明に記載の商品押出型陳列器具によれば、係止手段により商品押出具と基端部等とが一時的に係止され、商品をガイドレールに補充する作業を行っている間、バネで戻らないように商品押出具を手などで抑える必要がないので、上記課題を達成できる。
【００１６】
また、請求項２乃至請求項６に記載の商品押出型陳列器具によれば、手で直接商品押出具を基端部等から外さなくても、解除手段を操作することにより又は商品が解除手段を押圧することにより商品押出具は簡便に外れるので、上記課題を達成できる。
【００１７】
【実施例】
以下、この発明の実施例を図面により説明する。
【００１８】
本願発明に係る商品押出型陳列器具を、まず大別して所謂シングルレール型、２段レール型及びダブルレール型とに分けて各型ごとに商品押出型陳列器具の概略構成を説明し、その後で係止手段と解除手段の機能ごとに構成を述べていくこととする。
【００１９】
シングルレール型の商品押出型陳列器具は、図５、図１２及び図１４に示される様に、ガイドレール２と、商品押出具１０と、巻板バネ２０と、基端部３とで基本的に構成されている。
【００２０】
このうち、ガイドレール２は、水平部２ａとかかる水平部２ａの商品引出側を上方に折り曲げてなる商品落下防止部２ｂとで構成されている。
【００２１】
商品押出具１０は、例えば合成樹脂製のもので、ガイドレール２にガイド部１３を外挿することで摺動自在に取付けられている。巻板バネ２０は、通常何回か巻かれて成るロール状の基部が商品押出具１０に収納されると共に先端部が商品落下防止部２ｂに留め具２１で固定されており、商品押出具１０がガイドレール２の後端部側に押し出されることで、ガイドレール２に添うように引き出され、これにより商品押出具１０には先端部側への付勢力が付与されるものとなっている。
【００２２】
基端部３としては、ガイドレール２の後端部に設けられた断面がコ字状に形成された載置部３ｂを用いており、この載置部３ｂを水平に設けられた棹部（図示せず）に外嵌固定することにより、商品押出型陳列器具が商品を陳列できるものである。
【００２３】
尚、図１２に示される様に、シングルレール型の商品押出型陳列器具は、商品押出具１０に付勢力を付与する手段として、前記板巻バネ２０の代わりに例えば両側から中央部分に進むにつれて径が小さくなるコイルバネ２０’を用いても良いのは、勿論である。
【００２４】
２段レール型の商品押出型陳列器具は、図１、図４、図６、図８乃至図１１に示される様に、ガイドレール２’と、商品押出具１０と、巻板バネ２０と、基端部３とで基本的に構成されている。
【００２５】
このうちガイドレール２’は、商品落下防止部２ｂを有する水平部２ａの上方に、かかる水平部２ａと後端部側の垂直部２ｃを介して連続すると共に平行に延びる水平部２ｄを有するものである。尚、かかる水平部２ｄの先端部側には、図１、図６等では曲折部２ｅが形成されているが、図４に示される様に特に曲折部を有していなくても良い。また、図１，図１１では、曲折部２ｅに商品表示部２００が取付けられているが、図４等に示される様に特に有していなくても良い。
【００２６】
商品押出部１０は、例えば合成樹脂製で、上下の水平部２ａ，２ｄにガイド部１３，１３を外挿することにより摺動自在に取付けられている。巻板バネ２０は、通常何回か巻かれて成るロール状の基部が商品押出具１０に収納されていると共に、先端部がガイドレール２’の曲折部２ｅ又は水平部２ｄの先端部に固定されている。尚、図示しないが、巻板バネ２０の代わりに例えばコイルバネを用いても良いことは勿論である。
【００２７】
基端部３としては、図１では図示しないハンガーボードの孔に引っ掛けて係止するためにガイドレール２’から鉤爪状に延びた係止部３ａが用いられている。また、図４，図８，図９乃至図１１ではガイドレール２’の後端部に位置する断面がコ字状に形成され、水平に設けられた棹部（図示せず）に外嵌固定される載置部３ｂが用いられている。そして、図６ではガイドレール２’の後端部から水平に延びると共に螺子孔４を有する固定部３ｃが用いられており、この固定部３ｃはボード５の反対側面よりボードの孔５ａを介して螺子孔４にビス６を挿入固定することで商品押出型陳列器具が商品を陳列できる。尚、これらは、各々図示された係止部３ａ，載置部３ｂ、又は固定部３ｃに限定されるのではなく、下記する係止手段、解除手段を設けられるならば、どの基端部３を用いても良い。これは、前述したシングルレール型の商品押出型陳列器具の基端部３においても同様である。
【００２８】
ダブルレール型の商品押出型陳列器具は、図２、図１３及び図１５に示される様に商品吊下型のものと、図３に示される様にレールの上に商品が載置される商品載置型のものとが例示されており、双方ともガイドレール２’’と、商品押出具１０と、巻板バネ２０と、基端部３とで基本的に構成されている。
【００２９】
このうちガイドレール２’’は、少なくとも２つの水平に延びる水平部２ａ、２ａを有するものである。そして、ガイドレール２’’は、水平部２ａ，２ａが連結具２ｆにより連結されてＵ字状をなしている。尚、連結具２ｆは、図１５に示される様に上側に折曲げられて商品落下防止を図ったものとしても良い。また、図３に示される様に、ガイドレール２’’は、連結具２ｆの代わりに水平部２ａ，２ａの先端部に断面がＬ状の係止板２５を取付けて最前列の商品の落下防止を図っても良い。
【００３０】
商品押出具１０は、例えば合成樹脂製で、水平部２ａ，２ａにガイド部１３，１３を外挿することにより摺動自在に取付けられている。
【００３１】
巻板バネ２０は、通常何回か巻かれて成るロール状の基部が商品押出具１０に収納されていると共に、その先端部は、連結具２ｆ又は係止板２５に留め具２１で固定されている。尚、図示しないが、かかるダブルレール型の商品押出型陳列器具においても、巻板バネ２０の代わりに例えばコイルバネを用いても良いことは勿論である。
【００３２】
基端部３は、図２、図１３及び図１５では、ガイドレール２’’の後端部に位置する断面がコ字状に形成された載置部３ｂが用いられており、水平に設けられた棹部（図示せず）に外嵌固定することにより、商品押出型陳列器具が商品を陳列できるものである。また、基端部３は、図３では２本の水平部２ａ，２ａの後端部と接続した背の高い薄板状のプレート部３ｄが用いられている。尚、かかる商品押出型陳列器具（特に商品吊下型）において、下記する係止手段、解除手段を設けることが可能ならば、基端部３として係止部３ａ、固定部３ｃを用いても良い。
【００３３】
しかるに、上述してきたシングルレール型、２段レール型及びダブルレール型の商品押出型陳列器具によれば、ガイドレール２，２’，２’’の水平部２ａに多数の商品を吊下孔を通して吊下げた場合又は水平部２ａの上側に商品を載置した場合に、最も奥の商品の背後に商品押出具１０が配されて、該商品押出具１０の前面が商品に当接し、巻板バネの付勢力にて前方に押圧するので、最前列の商品は常にガイドレール２，２’，２’’の先端部側に位置する。そして、最前列の商品を取り外すと、巻板バネ２０の付勢力で商品押出具１０が押圧されて摺動し、次の商品をガイドレール２，２’，２’’の先端部側まで押し出す。この動作は、最前列の商品を取り外すたびに繰り返される。
【００３４】
次に、本願発明の主要部である係止手段と解除手段とを詳述していく。
【００３５】
図１乃至図４では、商品押出型陳列器具のうち商品押出具を基端部又はガイドレールの後端部に係止する係止手段のみを有する実施例が示されている。
【００３６】
このうち、図１に示される商品押出型陳列器具は、前述した２段レール型のもので、商品押出具１０の巻板バネ２０を収納した側から先端に湾状部分３０を有する２つの係止片３１，３１がガイドレール２’と水平に延出している。これにより、商品押出具１０を手又は商品により押した場合には、係止片３１の湾状部分３０により垂直部２ｃを包み込むように挟持することができる。
【００３７】
また、図２に示される商品押出型陳列器具は、前述したダブルレール型のもので、巻板バネ２０は磁性体を成し、引掛部材１９により商品押出具１０に係止されていると共に係止部３ａにはマグネット３３が設けられている。この構成により、商品押出具１０を係止するには、商品押出具１０を手又は商品により押して、巻板バネ２０をマグネット３３に付着させれば良い。
【００３８】
更に、図３に示される商品押出型陳列器具も、前述したダブルレール型のもので、プレート部３ｄは磁性体を成すと共に、商品押出具１０の上方からマグネット３４がプレート部３ｄ側に延出している。この構成により、商品押出具１０を係止するには、商品押出具１０を手又は商品により押して、マグネット３４をプレート部３ｄに付着させれば良い。
【００３９】
更にまた、図４に示される商品押出型陳列器具は、前述した２段レール型のもので、商品押出具１０及び載置部３ｂの各々対向する面に面ファスナー等の接合部材３５，３６が貼着されている。この構成により、商品押出具１０を係止するには、商品押出具１０を手又は商品により押して、商品押出具１０と載置部３ｂの接合部材３５，３６同士を接合させれば良い。
【００４０】
しかるに、上述した図１乃至図４で示される商品押出型陳列器具は、商品押出具１０が一時的に係止されるので、商品の補充作業の間において商品押出具１０を手などで抑える必要がなくなる。その一方で、商品押出具１０の係止を解除するには、商品押出具１０を直接持って商品引出し側に引っ張る必要がある。
【００４１】
次に、図５及び図６では、商品押出型陳列器具のうち商品押出具に指押解除部を設け、かかる指押解除部を押圧することにより商品押出具の係止も解除できるものが示されている。
【００４２】
図５に示される商品押出型陳列器具は、前述したシングルレール型のもので、商品押出具１０の上面にはヒンジ４０を介してガイドレール２の軸方向に揺動可能なプレート部材４１が一体に形成されている。かかるプレート部材４１は、ヒンジ４０から商品引出側が指押解除部４２をなしていると共に、その反対側には爪部４３が形成されている。
【００４３】
かかる構成により、商品押出具１０を係止し、またその係止を解除するには、プレート部材４１の指押解除部４２を押圧してプレート部材４１の爪部４３側を持ち上げることにより、また爪部４３をガイドレール２の後端部４４に係止させ、また反対に爪部４３をガイドレール２の後端部４４から外せば良い。
【００４４】
図６に示される商品押出型陳列器具は、前述した２段レール型のもので、商品押出具１０の巻板バネ２０を収納した部分とガイドレール２’の水平部２ａとの間から固定部３ｃ側に向けて、係止片４５と、先端部に指押解除部４８を有するロッド４７とが２本平行に延出している。
【００４５】
このうち、係止片４５は、図６ｂに示される様に先端に爪部４６が形成されており、商品押出具１０を固定部３ｃ側に当接した後強く押圧した場合には、かかる爪４６によりガイドレール２’の垂直部２ｃに係止できるようになっている。指押解除部４８は、前記ロッド４７の先端部においてかかるロッド４７に対し垂直方向に２股に分岐し、一方端が商品押出具１０よりも側方に突出すると共に他方端が係止片４５に接するようになっている。
【００４６】
この構成により、商品押出具１０を係止するには、商品押出具１０を図６ａの矢印方向に押すことにより、係止片４５の爪部４６がガイドレール２’の垂直部２ｃを乗り越えて係止するようにすれば良い。また、商品押出具１０の係止を解除するには、指押解除部４８の商品押出具１０よりも側方に突出した先端部を押せば良い。これにより、指押解除部４８の反対側端が係止片４５を押すので、係止片４５の爪部４６をガイドレール２’の垂直部２ｃから外すことができる。
【００４７】
しかるに、上述してきた図５及び図６に示された商品陳列型押出具によれば、指押解除部４２，４８を指で押圧することにより手動で商品押出具１０の係止を解除できる。
【００４８】
図７乃至図１２では、商品押出型陳列器具のうち商品を利用して押圧することにより商品押出具の係止を解除できる実施例が示されている。
【００４９】
このうち、図７に示される商品押出型陳列器具は、前述したシングルレール型のもので、商品押出具１０がフック５１と、支点突起部５３と、力点入力部５４と、突片５５とを有したものとなっている。
【００５０】
フック５１は、下記する支点突起部５３が載置部３ｂに当接した場合にガイドレール２の後端部４４に係止できる寸法を有して商品押出部１０の上方から斜めに延出していると共に先端部に爪部５２を有している。支点突起部５３は、商品押出具１０の載置部３ｂの前側面において、載置部３ｂの側面の上方と当接する位置に形成されている。従って、商品押出具１０と載置部３ｂとの間には、可動隙間が形成される。力点入力部５４は、商品押出具１０の最下部からガイドレール２に対し垂直になるように略Ｊ字状に延出している。突片５５は、商品押出具１０の前方において上方に延びたものとなっている。
【００５１】
この構成により、商品押出具１０を係止するには、商品押出具１０の突片５５を強くガイドレール２の後端部４４側に押すことにより、フック５１の爪部５２をガイドレール２の後端部４４に引掛かければ良い。また、商品押出具１０の係止を解除するには、吊り下げている商品を押して、最も奥側に位置する商品が力点入力部５４を白抜き矢印方向▲１▼に押すようにすれば良い。これにより、支点突起部５３を支点として、力点入力部５４は下方（矢印▲２▼）、フック５１は上方（矢印▲２▼）に動くので、フック５１の爪部５２をガイドレール２の後端部４４から外すことができる。
【００５２】
尚、かかる商品押出型陳列器具によれば、爪部５２がガイドレール２の後端部４４に係止される際及びガイドレール２の後端部４４から解除される際に係止音又は解除音が発生するので、商品押出具１０の係止と解除とをその音により確認することができる。
【００５３】
そして、図８ａ，ｂに示される商品押出型陳列器具は、前述した２段レール型のもので、商品押出具１０には、吸盤５７と、チューブ５８と、押部５９とを少なくとも備えた脱着部材６０が設けられたものとなっている。
【００５４】
このうち、吸盤５７は、吸盤本体の中心部から柱部分の中央を通って側部に抜ける空気通路５７ａを有している。チューブ５８は、押部５９と一体に形成されているもので、吸盤５７の柱部分を収納すると共に、側方に、バルブ孔５８ａが形成されている。また、吸盤部５７とチューブ５８の底面との間には、吸盤５７の空気通路５７ａとチューブ５８のバルブ孔５８ａとが非連通になる様に圧縮コイル６１が配されている。
【００５５】
しかるに、かかる脱着部材６０は、押部５９を押すことで、チューブ５８の側面に形成されたバルブ孔５８ａと吸盤５７の空気通路５７ａとが連通し、吸盤５７に空気が流入し、真空破壊が生ずるようになっている。
【００５６】
この構成により、商品押出具１０を係止するには、該商品押出具１０の上体を白抜き矢印で示す様に押圧することにより、脱着部材６０の吸盤部材５７を載置部３ｂに吸着させれば良い。また、商品押出具１０の係止を解除するには、吊り下げられた商品を押すことにより、最も奥側に位置する商品が押部５９を矢印方向に押すようにすれば良い。これにより、空気通路５７ａとバルブ孔５８ａとが連通して吸盤５７を載置部３ｂから外すことができる。
【００５７】
また、図９及び図１０に示される商品押出型陳列器具は、商品押出具に押圧部材を設け、かかる押圧部材が商品で押されることにより商品押出具の係止を解除できるものとなっている。
【００５８】
図９に示される商品押出型陳列器具は、前述した２段レール型のもので、商品押出部１０の側部に溝部６５が形成されると共に、かかる溝部６５の商品引出側が斜めに切り欠かれて、下記する押圧部材６８のストッパー６６を形成している。そして、溝部６５内には、留め具６７を支点として押圧部材６８が、ストッパー６６に当接する位置から溝部６５の奥側内壁に当接する位置までの範囲で回動可能に取付けられている。押圧部材６８は、図９ｂに示される様に商品引出側において斜面６８ａを有すると共に、押圧部６９と指押部７０とを有しており、更に押圧部６９と指押部７０の反対側には、ガイドレール２’の垂直部２ｃに係止するための鉤部７１を有している。
【００５９】
この構成により、商品押出具１０を係止するには、図９ａと図９ｂに示される白抜き矢印方向に指押部７０を強く押せば良い。これにより、押圧部材６８は反時計回りに回動するので、鉤部７１をガイドレール２’の垂直部２ｃに係止させることができる。また、商品押出部１０の係止を解除するには、吊り下げられた商品を押すことにより、図９ｂの矢印に示される様に最も奥側に位置する商品が押圧部６９を矢印方向に押すようにすれば良い。これにより、押圧部材６８は時計回りに回動するので、鉤部７１をガイドレール２’の垂直部２ｃから外すことができる。
【００６０】
図１０に示される商品押出型陳列器具も、前述した２段レール型のもので、商品押出具１０のガイドレール２’の垂直部２ｃ側には、ヒンジ７３を介して梃子部材７４が一体に設けられていると共に、商品押出具１０より商品引出側には梃子部材７４を押圧する押圧部材７５が配されている。
【００６１】
このうち、梃子部材７４は、ヒンジ７３よりも下側に突起部７６が形成されており、かかる突起部７６がガイドレール２’の垂直部２ｃに当接した場合には、梃子部材７４は突起部７６を支点として揺動する。また、かかる梃子部材７４の上端には垂直部２ｃを挟持可能な湾部を有するフック７７が形成されている。しかるに、フック７７が垂直部２ｃを挟持している場合には、梃子部材７４は、図１０に示す様にその下側が垂直部２ｃから離れる様な傾いた形態をなしている。
【００６２】
押圧部材７５は、商品を押圧する垂直部分７５ａとガイドレール２’の水平部２ａと平行に延びる水平部分７５ｂとを有している。そして、フック７７が垂直部２ｃを挟持している場合には、垂直部分７５ａは、商品押出具１０と当接せず一定の隙間を有した位置にあり、また水平部分７５ｂは、その先端を前記梃子部材７４の下部、即ちガイドレール２’の垂直部２ｃから離れた部分に接している。
【００６３】
この構成により、商品押出具１０を係止するには、商品押出具１０をガイドレール２’の後端部側に押せば良い。これにより、ヒンジ７３から梃子部材７４の上端が突起部７６を支点として強く押されることにより、フック７７をガイドレール２’の垂直部２ｃに挟持させることができる。また、商品押出具１０の係止を解除するには、吊り下げられている商品を押して、最も奥側に位置する商品が押圧部材７５を押圧するようにすれば良い。これにより、押圧部材７５が商品押出具側に摺動し、水平部７５ａの先端部が梃子部材７４の下側、即ちガイドレール２’の垂直部２ｃから離れた部分を押圧し、これにより突起部７６を支点として梃子部材７４の上端が垂直部２ｃから離れる方向に揺動するので、フック７７を垂直部２ｃから外すことができる。
【００６４】
更にまた、図１１及び図１２に示される商品押出型陳列器具は、商品押出具に押出具逆進具を設け、かかる押出具逆進具が商品で押されることにより前記商品押出具の係止を解除できるものが示されている。
【００６５】
図１１に示される商品押出型陳列器具は、前述した２段レール型のもので、商品押出具１０のガイドレール２’の垂直部２ｃ側には、先端に爪部７９が形成された垂直部２ｃを挟持するための二股フック８０が一体に形成されている。
【００６６】
また、商品押出具１０には、かかる商品押出具１０と逆方向に摺動することで、前記二股フック８０をガイドレール２’の垂直部２ｃから外すための押出具逆進具８１が取付けられている。かかる押出具逆進具８１は、商品を押圧するための押圧部８２と、かかる押圧部８２の上方から商品押出具１０を貫通してガイドレール２’の垂直部２ｃに当接すると共に先端部が曲折して商品押出具１０に当接したＵターン部８３と、一端が押圧部８２の下方に接続すると共に他端が商品押出具１０の下面に接続する湾曲した弾性部８４とで構成されている。
【００６７】
この様な構成により、商品押出具１０を係止するには、該商品押出具１０を強くガイドレール２’の垂直部２ｃ側に押せば良い。これにより、二股フック８０をガイドレール２’の垂直部２ｃに挟持させることができる。また、商品押出具１０の係止を解除するには、吊り下げられた商品を押して、最も奥側に位置する商品が押出具逆進具８１の押圧部８２を押圧するようにすれば良い。これにより、押圧部８２に続くＵターン部８３が商品押出具１０を商品引出側に押し出すため、二股フック８０をガイドレール２’の垂直部２ｃから外すことができる。
【００６８】
図１２に示される商品押出型陳列器具は、前述したシングルレール型のもので、ガイドレール２の水平部２ａに鼓型コイルバネ２０’を外挿し、その商品引出し側に商品押出具１０、ガイドレール２の後端部側にバネ固定具８６を取付けると共に鼓型コイルバネ２０’の径が最も小さくなる部分を中間支持具８７で保持している。そして、商品押出具１０とバネ固定具８７とは、柔軟性のある面ファスナー等の接合部材８８により付着可能となっている。
【００６９】
また、商品押出具１０には、かかる商品押出具１０と逆方向に可動することで、前記商品押出具１０をバネ固定具８２から外すための押出具逆進具８９が取付けられている。かかる押出具逆進具８９は、商品を押圧するための押圧部９０と、かかる商品押圧部９０に続いて形成され、商品押出具１０を貫通して中間支持具８７に当接すると共に先端部が曲折して商品押出具１０に当接したＵターン部９１とで構成されている。
【００７０】
この様な構成により、商品押出具１０を係止するには、該商品押出具１０をバネ固定具８６に押圧すれば良い。これにより、商品押出具１０を接合部材８８によりバネ固定具８６に付着することができる。また、商品押出具１０の係止を解除するには、吊り下げられた商品を押して、最も奥側に位置する商品が押出具逆進具８９の押圧部９０を押圧するようにすれば良い。これにより、押圧部９０に続くＵターン部９１が商品押出具１０を商品引出側に押し出すため、接合部材８８を外すことができる。
【００７１】
しかるに、図１１及び図１２に示される商品押出型陳列器具は、押出具逆進具８１，８９が商品に押されてガイドレール２，２’の後端部側に動くのにつれて商品押出具１０がガイドレール２，２’の先端部側に動き、これにより商品押出具１０の係止が解除されるので、確実に商品押出具１０の係止を解除できる。
【００７２】
尚、図７乃至図１２に示された商品押出型陳列器具は、商品からの押圧を利用した解除手段を有しているため、ガイドレール２，２’の後端部側まで手を差し込んで商品押出具の係止を解除する必要がないので、商品押出型陳列器具を上下方向又は水平方向において密に設置できるという特長を共通に有している。
【００７３】
図１３乃至図１５では、前記商品押出具、基端部の一方又は双方に、商品押出具に加えられる作動順により係止と解除が順次行われる結合機構を持つようにしたものが示されている。
【００７４】
図１３で示される商品押出型陳列器具は、前述したダブルレール型のもので、商品押出具１０からガイドレール２’’の後端部側に係止片９３が延出していると共に、かかる係止片９３の先端には下記するカム溝９５に添って移動するための突部９４が形成され、左右に揺れるようになっている。
【００７５】
また、載置部３ｂの上面には、カム溝９５が形成されている。かかるカム溝９５は、図１３ｂに示す例では、大きく湾曲した長い進入部９６と、短い段部９７と、窪みを有する段部９８と、大きく湾曲した長い離脱部９９から成るハート型をなしていると共に、軸心が離脱部９９側に寄っている。このうち、進入部９６は、登坂となっており、これに続く段部９７と９８とは、下り階段となっている。そして、段部９８に続く離脱部９９は、その奥側９９ａが段部９８よりも低くなっていると共に、かかる奥側９９ａから離脱側にかけて登坂となっている。
【００７６】
この様な構成により、商品押出具１０を係止するには、商品押出具１０を押圧すれば良い。これにより、係止片９３の突部９４は、軸心が離脱部９９側に寄っているので、カム溝９５の進入部９６に進入し、更に段部９７を通って段部９８の窪みに係止される。また商品押出具１０の係止を解除するには、再び商品押出具１０を押圧すれば良い。これにより、係止片９３の突部９４は、段部９８から離脱部９９を通って離脱する。
【００７７】
図１４に示される商品押出型陳列器具は、前述した２段レール型のもので、商品押出具１０のガイドレール２’の後端部側にくびれ部分９２を介してカム溝９５が設けられていると共に、ガイドレール２’の後端部側が鉤爪状に延びて係止片９３’を構成している。そして、係止片９３’の先端部側には、カム溝９５に添って移動するための突部９４が形成されている。尚、かかるカム溝９５の構成及び作用は、先に述べたものと同様なので、同一の符号を付してその説明を省略する。
【００７８】
この様な構成により、商品押出具１０を係止するには、該商品押出具１０を押圧すれば良い。これにより、カム溝９５の進入部９６が係止片９３の突部９４を奥側まで導き、段部９７を介して段部９８の窪みに係止させる。また、商品押出具１０の係止を解除するには、商品押出具１０を再び押圧すれば良い。これにより、係止片９３の突部９４は段部９８から離脱部９９を通って離脱させられる。
【００７９】
図１５に示される商品押出型陳列器具は、前述したダブルレール型のもので、ガイドレール２’’の後端部側には下記するフック１００に挟持される垂直部２ｇが形成されている。そして、商品押出具１０は、その上端に切り欠き１０１を有すると共に、かかる切り欠き１０１には、スプリング１０２を介して先端に２本のフック１００，１００を有するプレート１０３が接続している。尚、プレート１０３は、商品押出具１０の切り欠き１０１よりも長さが短いと共に、フック１００はかかる切欠き１０１よりも幅が大きいものとなっている。
【００８０】
また、かかるプレート１０３には、カム溝９５’が形成されている。かかるカム溝９５’は、基本的な構成については前記カム溝９５と同様であるが、進入部９６と離脱部９９とが接続していると共に、進入部９６の離脱部側部分９６ａが離脱部９９よりも低くなっている。そして、かかるカム溝９５’には商品押出具１０から延びる鉤ロッド１０４がカム溝９５’内を移動可能に取付けられている。
【００８１】
この様な構成により、商品押出具１０を係止するには、商品押出具１０を押圧すれば良い。すると、図１５の想像線で示す様に２本のフック１００，１００の間に垂直部２ｇが入り込み、プレート１０３を矢印方向に押すので、鉤ロッド１０４は商品引出し側にカム溝９５’に沿いつつ動いていく。この際、カム溝９５’の離脱部側には段差があるので、鉤ロッド１０４は離脱部側部分９６ａより進入部９６に進入し、段部９７を通って段部９８の窪みに係止される。これにより、プレート１０３は切欠き１０１の奥側の位置で保持されることとなる。よって、プレート１０３がスプリング１０２を圧縮する方向（図１５の白抜き矢印方向）に動くと、プレート１０３のフック１００が商品押出具１０の切欠き１０１の両側面に圧縮されるので、フック１００が閉じてガイドレール２’’の垂直部２ｇを挟持すると共に、その挟持は鉤ロッド１０４がカム溝９５’の段部９３の窪みに係止されるので維持される。
【００８２】
また、商品押出具１０の係止を解除するには、再度商品押出具１０を押せば良い。すると、再び垂直部２ｇがプレート１０３を押すので、鉤ロッド１０４は、段部９８の窪みから離脱部９９に移動し、進入部９６の離脱部側部分９６ａまで戻って係止が解除されると共に、この鉤ロッド１０４の係止が解除されるので、スプリング１０２の付勢力によりプレート１０３がスプリング１０２を伸ばす方向（図１５の白抜き矢印と反対方向）に動き、これに伴いプレート１０３のフック１００が商品押出具１０の切欠き１０１による圧縮から開放されるので、フック１００が開いてガイドレール２’’の垂直部２ｇを外す。
【００８３】
尚、前述してきた発明の実施例は、図３に示されるものを除き、商品吊下型の商品押出型陳列器具に設ける場合を説明してきたが、その構造上可能であれば商品載置型の商品押出型陳列器具の商品押出具、基端部に設けても良いのは勿論である。
【００８４】
また、これまで本願に係る発明である各々の係止手段、解除手段が設けられる商品押出型陳列器具について例を挙げて説明してきたが、必ずしもこれらの組み合わせでなければ各々の係止手段、解除手段を設けられないという意味ではなく、勿論他の型においても組み合わせて設けられるものである。
【００８５】
【発明の効果】
以上の様に、この発明に記載の商品押出型陳列器具によれば、商品押出具は、載置部に係止手段により一時的に係止できるので、商品を補充する作業の間、商品押出具を基端部等に係止させておけば、商品押出具を手で抑えた状態で商品を補充しなくても良く、効率良く商品の補充作業を行える。
【００８６】
また、請求項２乃至請求項６に記載の商品押出型陳列器具によれば、商品押出具を直接手により基端部等から外さなくても、解除手段を用いることにより容易に外すことができるので、商品押出具の基端部等からの取り外しを容易に行える。
【００８７】
特に、請求項２に記載の商品押出型陳列器具においては、この指押解除部により手動で係止手段を解除できるので、商品の補充作業と関係なく係止手段の解除ができる。
【００８８】
また、請求項３に記載の商品押出型陳列器具によれば、商品からの押圧を利用した解除手段を有しているので、ガイドレールの後端部側まで手を差し込んで商品押出具の係止を解除する必要がないので、商品押出型陳列器具を上下方向又は水平方向において密に設置できる。
【００８９】
また、請求項４に記載の商品押出型陳列器具によれば、係止爪により商品押出具の係止と解除とが行われるので、その係止の際又解除の際に生ずる音によりその作動を確認できる。
【００９０】
そして、請求項５に記載の商品押出型陳列器具によれば、押出逆進具により商品押出具が押圧されて、かかる商品押出具の係止が解除されるので、作動が確実で信頼性が高いものとなっている。
【００９１】
また、請求項６に記載の商品押出型陳列器具によれば、係止と解除とが順次行われる結合機構を有するので、商品を取付ける前でも商品押出具を押圧するという行為を試みることができ、商品押出具が確実に係止され又解除されるのを予め確認することができる。
【図面の簡単な説明】
【図１】図１は、２段レールの垂直部を係止片で挟持することにより商品押出具を係止する構成の商品押出型陳列器具を示した斜視図である。
【図２】図２は、磁性体の巻板バネにマグネットを付着させることにより商品押出具を係止する構成の商品押出型陳列器具を示した斜視図である。
【図３】図３は、商品押出具の上部に設けたマグネットをガイドレールの基端側に設けた磁性体のプレート部材に付着させることにより商品押出具を係止する構成の商品押出型陳列器具を示した斜視図である。
【図４】図４は、商品押出具と固定部に接合部材を取付けることにより商品押出具を係止する構成の商品押出型陳列器具を示した側面図である。
【図５】図５は、指押解除部を押してプレートの爪部を持ち上げることで、商品押出具のガイドプレートへの係止と解除をおこなう構成の商品押出型陳列器具を示した斜視図である。
【図６】図６ａは、係止片により商品押出具をガイドレールに係止すると共に、指押解除部を押して係止片のガイドレールの係止を解除する構成の商品押出型陳列器具を示した側面図であり、図６ｂは、その係止片と指押解除部の構成を示したＡ−Ａ線断面図である。
【図７】図７ａは、フックで商品押出具を係止すると共に、商品押出具を揺動することにより商品押出具の係止を解除する構成の商品押出型陳列器具を示した側面図で、図７ｂはその商品押出具付近の拡大図である。
【図８】図８ａは、吸盤をもつ脱着部材を用いて商品押出具を係止すると共に、押部を押すことにより商品押出具の係止を解除する構成の商品押出型陳列器具を示した側方から見た一部断面図で、図８ｂはその脱着部材の断面図である。
【図９】図９ａは、押圧部材の鉤部により商品押出具をガイドレールに係止すると共に、押圧部材を商品で押圧することで鉤部が外れる構成の商品押出型陳列器具を示した説明図で、図９ｂは、その押圧部材の構成を示した説明図である。
【図１０】図１０は、商品押出具に取付けられたプレートのフックにより商品押出具をガイドレールに係止すると共に、押圧部材を商品で押圧することでプレートが揺動してフックが外れる構成の商品押出型陳列器具を示した側面図である。
【図１１】図１１ａは、商品押出具に形成されたフックにより商品押出具をガイドレールに係止すると共に、押出具逆進具を押すことによりＵターン部が商品押出具を押してフックが外れる構成の商品押出型陳列器具を示した斜視図で、図１１ｂは、その要部付近の側面図である。
【図１２】図１２は、Ｕターン部をコイルバネを用いたシングルレール型陳列器具に適用した状態を示した一部切欠き断面図である。
【図１３】図１３ａは、商品押出具に係止片を、固定部にカム溝を設けた構成の商品押出型陳列器具を示した斜視図で、図１３ｂはそのカム溝付近を示す拡大平面図である。
【図１４】図１４ａは、商品押出具にカム溝を、固定部に係止片を設けた構成の商品押出型陳列器具を示した斜視図で、図１４ｂはその主要部の拡大平面図である。
【図１５】図１５ａは、商品押出具に設けられたカム溝を鉤ロッドが移動することによりフックを開閉させて、ガイドレールに形成された係止片を挟持、開放する構成の商品押出型陳列器具を示した説明図で、図１５ｂはその主要部の拡大図である。
【図１６】図１６は、従来の商品押出型陳列器具の構成を示した斜視図である。
【符号の説明】
２  ガイドレール
２’  ガイドレール
２’’  ガイドレール
２ａ  水平部
２ｃ  垂直部
２ｄ  水平部（上段側）
２ｇ  垂直部
３  基端部
３ａ  係止部
３ｂ  載置部
３ｃ  固定部
３ｄ  プレート部
１０  商品押出具
２０  巻板バネ
２０’  コイルバネ
３０  湾状部分
３１  係止片
３３  マグネット
３４  マグネット
３５  接合部材
３６  接合部材
４２  指押解除部
４３  爪部
４４  後端部
４５  係止部
４８  指押解除部
５１  フック
５２  爪部
５３  支点突起部
５４  力点入力部
５７  吸盤
６８  押圧部材
７０  指押部
７１  鉤部
７５  押圧部材
７７  フック
７９  爪部
８０  二股フック
８１  押出具逆進具
８３  Ｕターン部
８８  接合部材
８９  押出具逆進具
９０  Ｕターン部
９３  係止片
９５  カム溝
９５’  カム溝
１００  フック
１０３  鉤ロッド
【図１】
0003569855.tif 000002
【図２】
0003569855.tif 000003
【図３】
0003569855.tif 000004
【図４】
0003569855.tif 000005
【図５】
0003569855.tif 000006
【図６】
0003569855.tif 000007
【図７】
0003569855.tif 000008
【図８】
0003569855.tif 000009
【図９】
0003569855.tif 000010
【図１０】
0003569855.tif 000011
【図１１】
0003569855.tif 000012
【図１２】
0003569855.tif 000013
【図１３】
0003569855.tif 000014
【図１４】
0003569855.tif 000015
【図１５】
0003569855.tif 000016
【図１６】
0003569855.tif 000017